(57)【特許請求の範囲】
【請求項１】
発電機及び高品質負荷を接続した周波数変動幅が小さい系統と、分散型電源及び標準品質負荷を接続した周波数変動幅が大きい系統とを備える電力系統需給制御システムであって、
前記周波数変動幅が小さい系統と前記周波数変動幅が大きい系統との間に接続される開閉器と、
前記開閉器を介して接続され、前記各系統の何れかの電力を消費する調整負荷と、
前記周波数変動幅が小さい系統の周波数に基づいて、前記開閉器を制御する調整負荷切替え指令装置とを有することを特徴とする電力系統需給制御システム。
【請求項２】
前記調整負荷切替え指令装置は、前記周波数変動幅が小さい系統の周波数が所定値よりも高いときは、前記周波数変動幅が小さい系統と前記調整負荷とを接続するように前記開閉器を制御し、前記周波数変動幅が小さい系統の周波数が所定値以下であるときは、前記周波数変動幅が大きい系統と前記調整負荷とを接続するように前記開閉器を制御することを特徴とする請求項１に記載の電力系統需給制御システム。
【請求項３】
前記調整負荷切替え指令装置は、前記周波数変動幅が小さい系統の周波数が所定値よりも高いときは、前記調整負荷の消費電力を増大するように前記開閉器を制御し、前記周波数変動幅が小さい系統の周波数が所定値以下であるとき前記消費電力を減少するように前記開閉器を制御することを特徴とする請求項１に記載の電力系統需給制御システム。
【請求項４】
前記調整負荷は、複数の負荷に分割されており、
前記開閉器は、前記各負荷が前記周波数変動幅が小さい系統と、前記周波数変動幅が大きい系統とを切り替えるように接続されており、
前記調整負荷切替え指令装置は、前記各負荷を組み合わせて消費電力を調整するように前記開閉器を制御することを特徴とする請求項１に記載の電力系統需給制御システム。
【請求項５】
前記調整負荷切替え指令装置は、周波数変動幅が小さい系統の周波数と基準周波数との差分周波数から調整負荷量を演算する調整負荷量演算装置と、
前記調整負荷量演算装置で求めた調整負荷量の値に基づいて、前記開閉器に指令を与える開閉器切替え指令装置とを有することを特徴とする請求項４に記載の電力系統需給制御システム。
【請求項６】
周波数変動幅が小さい系統の周波数と基準周波数との差分周波数から調整負荷量を演算する調整負荷量演算手段と、
前記調整負荷量演算手段で求めた調整負荷量に基づいて、前記周波数変動幅が小さい系統と周波数変動が大きい系統との間に接続され、調整負荷が接続された開閉器に指令を与える開閉器切替え指令手段を有する指令装置。
【請求項７】
前記調整負荷は、複数の負荷に分割されており、
前記開閉器は、前記複数の負荷を切り替えるように接続されており、
前記複数の負荷を組み合わせて消費電力を調整するように前記開閉器に指令することを特徴とする請求項６に記載の指令装置。
【請求項８】
発電機及び高品質負荷を接続した周波数変動幅が小さい系統と、分散型電源及び標準品質負荷を接続した周波数変動幅が大きい系統と、前記周波数変動幅が小さい系統と前記周波数変動幅が大きい系統との間に接続される開閉器と、前記開閉器を介して接続され、前記各系統の何れかの電力を消費する調整負荷とを備える電力系統需給制御システムに使用される電力系統需給制御方法であって、
前記開閉器は、前記周波数変動幅が小さい系統の周波数が所定値よりも高いときに、前記周波数変動幅が小さい系統と前記調整負荷とが接続され、前記周波数変動幅が小さい系統の周波数が所定値以下であるときに、前記周波数変動幅が大きい系統と前記調整負荷とが接続されることを特徴とする電力系統需給制御方法。
【請求項９】
前記調整負荷は、複数の負荷に分割されており、前記開閉器は、前記各負荷が前記周波数変動幅が小さい系統と、前記周波数変動幅が大きい系統とを切り替えるように接続されており、
前記開閉器は、前記各負荷を組み合わせて消費電力を調整することを特徴とする請求項８に記載の電力系統需給制御方法。
【発明の詳細な説明】
【技術分野】
【０００１】
本発明は、周波数変動幅が小さい系統と周波数変動幅が大きい系統とを備える電力系統需給制御システム、指令装置、及び電力系統需給制御方法に関する。
【背景技術】
【０００２】
海外や離島などの未電化地域では送電設備がないため、独立した発電設備を備え、電力供給を行う必要がある。その電力供給を行う手段として、太陽光発電や風力発電など新エネルギー電源による電力供給が期待されている。しかし、このような新エネルギー電源は、自然環境の影響を受けやすく変動も大きいため、蓄電装置などを導入して周波数変動や出力変動を抑制する必要がある。また、これらの変動を抑制するために、需給バランスの調整を行う必要がある。特許文献１，２には、電力系統に風力発電や太陽光発電など単体では出力制御できない発電装置を連系する方法として、電気二重層キャパシタや蓄電装置を設置して周波数変動を小さくする方法が開示されている。また、特許文献３には、電力系統と小規模電力系統を１点で系統連系し、小規模電力系統側の需給制御することで、潮流を制御する方法が開示されている。
【特許文献１】特開２００４−２５４４５６号公報
【特許文献２】特開２００６−１７４６３５号公報
【特許文献３】特願２００５−２６９３７０号明細書
【発明の開示】
【発明が解決しようとする課題】
【０００３】
特許文献１，２の技術には、分散型電源のみの周波数変動制御であり、系統全体の周波数や電圧を考慮していないという問題と、分散型電源ごとに設備を設けるためコストがかかるという問題と、分散型電源の導入容量が限定されるという問題とがある。
また、特許文献３の技術には、潮流を制御するためには、蓄電池などで需給バランスを調整する必要があり、送電系統側の安定した系統に依存しているため、発電機を接続して独立系統のみで運用できないという問題がある。
【０００４】
そこで、本発明は、発電機が接続された系統の周波数を安定化することができる電力系統需給制御システム、指令装置及び電力系統需給制御方法を提供することを課題とする。
【課題を解決するための手段】
【０００５】
前記課題を解決するため、本発明の電力系統需給制御システムは、発電機及び高品質負荷を接続する周波数変動幅が小さい系統と、分散型電源及び標準品質負荷を接続する周波数変動幅が大きい系統と、少なくとも前記周波数変動幅が小さい系統に接続された電力調整手段を備えることを特徴とする。
【０００６】
これによれば、発電機の機械的回転速度と発電周波数とが同期しなくても、電力調整手段が電力調整手段が変動幅が小さい系統から流出させる電力を増加することにより、発電機の負荷が重くなり、発電周波数が低下する。一方、電力調整手段が移動させる電力を低下させることにより、発電機の負荷が軽くなり、発電周波数が増加する。すなわち、電力調整手段が移動させる電力を調整することにより、系統の周波数変動を小さくすることができる。
【０００７】
また、電力調整手段は、前記周波数変動幅が小さい系統と前記周波数変動幅が大きい系統との間に接続される開閉器と、前記開閉器を介して接続され、前記各系統の電力を消費する調整負荷と、前記周波数変動幅が小さい系統の周波数に基づいて、前記開閉器を制御する調整負荷切替え指令装置を有することが好ましい。
【０００８】
これによれば、周波数変動幅が小さい系統から開閉器を介して調整負荷まで電力が移動する。また、この調整負荷は、周波数変動幅が大きい系統に接続されることにより、常時電力が供給される。
【発明の効果】
【０００９】
本発明によれば、発電機が接続された系統の周波数を安定化することができる。
【発明を実施するための最良の形態】
【００１０】
（第１実施形態）
図１は、本発明の一実施形態である電力系統需給制御システムの構成図である。この電力系統需給制御システム１００は、周波数の振れ幅（周波数変動幅）が小さい系統１と、周波数の振れ幅（周波数変動幅）が大きい系統２と、周波数の振れ幅が小さい系統１と周波数の振れ幅が大きい系統２との間に挿入された開閉器３１と、開閉器３１に接続された調整負荷３２と、周波数の振れ幅が小さい系統１に接続された発電機１１及び高品質負荷１２と、周波数の振れ幅が大きい系統２に接続されたインバータ２１及び標準品質負荷２３と、インバータ２１に接続された新エネルギー電源（分散型電源）２２と、調整負荷切替え指令装置（指令装置）３３とを備える。
【００１１】
周波数の振れ幅が小さい系統１と周波数の振れ幅が大きい系統２とは、基準周波数５０／６０Ｈｚの電力会社（電力事業者）等の送電系統とは接続されていない独立した電力系統である。周波数の振れ幅が小さい系統１には、発電機１１と高品質負荷１２とが接続されている。発電機（回転機）１１は、誘導機が使用され、回転軸の回転周波数と発電周波数との間にすべりがあるため、負荷の変動により周波数変動が発生する。高品質負荷１２は、同期電動機等の周波数が大きく振れると脱落してしまうため、高品質な周波数変動特性が要求される負荷のことである。
【００１２】
新エネルギー電源２２は、太陽光発電や風力発電などの分散型電源で構成され、例えば、風力発電は風速によって周波数が変動する。インバータ２１は、太陽光発電による直流電圧を交流電圧に変換し、風力発電による交流電圧を一定の商用電圧に制御する。標準品質負荷２３は、周波数が数Ｈｚ変動しても問題なく動作する負荷のことであり、５０／６０Ｈｚの何れの周波数でも使用可能な家電機器が代表的である。例えば、家電機器として炊飯器、白熱電球などの電熱器や、インバータエアコンや冷蔵庫などの電動力器などが例示される。
【００１３】
開閉器３１は、ＯＮ／ＯＦＦ信号により、ａ接点側とｂ接点側との何れか一方にｃ端子を接続するものであり、調整負荷３２の他端を周波数の振れ幅が小さい系統１に接続させるか、周波数の振れ幅が大きい系統２に接続させるかを切り替える。すなわち、調整負荷３２は、周波数の振れ幅が小さい系統１と、周波数の振れ幅が大きい系統２との何れかに接続されるので、常時通電されている。
【００１４】
図２（ａ）のように、調整負荷３２（３２ａ）は、電灯（ランプ）などの抵抗負荷Ｒ１，Ｒ２，…，Ｒｎが複数台入っており、何れかの抵抗負荷Ｒ１，Ｒ２，…，Ｒｎが組み合わされて並列接続されるようになっている。なお、抵抗負荷Ｒ１，Ｒ２，…，Ｒｎの一端は、連結されている。この場合、開閉器３１（３１ａ）は、各抵抗負荷Ｒ１，Ｒ２，…，Ｒｎを周波数の振れ幅が小さい系統１又は周波数の振れ幅が大きい系統２に接続するために、接点ａ１，ａ２，…，ａｎ、ｂ１，ｂ２，…，ｂｎ、及び端子ｃ１，ｃ２，…，ｃｎを備えている。すなわち、抵抗負荷Ｒ１，Ｒ２，…，Ｒｎは、複数の電灯やランプなどが組み合わされて、周波数の振れ幅が小さい系統１の電力を消費し、他の電灯やランプが周波数の振れ幅が大きい系統２の電力を消費する。
【００１５】
再び、図１に戻り、調整負荷切替え指令装置３３は、周波数の振れ幅が小さい系統１の周波数ｆ１に基づいて、開閉器３１をＯＮ／ＯＦＦ制御する。このとき、調整負荷切替え指令装置３３は、調整負荷３２内部の複数の抵抗負荷Ｒ１，Ｒ２，…，Ｒｎ（図２（ａ））を適宜選択して、周波数の振れ幅が小さい系統１に接続された抵抗負荷Ｒ１，Ｒ２，…，Ｒｎ全体の消費電力を調整する。
【００１６】
図２に示すように、調整負荷切替え指令装置３３は、調整負荷量演算装置３３１と、開閉器切替え指令装置３３２と、減算器３３３とを備え、これらの機能はＣＰＵ、ＲＯＭ、ＲＡＭ、プログラム等によって実現される。
まず、調整負荷切替え指令装置３３は、周波数の振れ幅が小さい系統１の周波数ｆ１をモニタリングして、減算器３３３が所定の基準周波数ｆ０との差分周波数Δｆを演算する。ここで、図３に示すように、周波数の振れ幅が小さい系統１は、独立系統であるため、周波数ｆ１は常に変動しており、基準周波数ｆ０との差分周波数Δｆが常に生じることが分かる。
【００１７】
ここで、周波数の振れ幅が小さい系統１の基準周波数ｆ０が５０Ｈｚである場合、独立系統の周波数ｆ１は５０Ｈｚを中心に変動する。また、周波数ｆ１と周波数ｆ０との差分周波数Δｆが±０．３Ｈｚと設定した場合、４９．７Ｈｚもしくは５０．３Ｈｚとする。次に、調整負荷量演算装置３３１は、求めた差分周波数Δｆから、（１）式のように演算し、調整負荷量ΔＰａを決定する。
ΔＰａ＝−（Ｋｇ＋Ｋｌ）×Δｆ    ・・・・・・（１）
ここで、Ｋｇは発電機１１の周波数特性係数であり、単位は［％／Ｈｚ］、Ｋｌは負荷の周波数特性であり、単位は［％／Ｈｚ］である。周波数が０．１Ｈｚ変化したときに、電源や負荷が何％変化するかは系統の発電機１１や負荷（高品質負荷１２）の容量に依存する。
【００１８】
次に、（１）式で求めた調整負荷量ΔPａが（２）式となるように、しきい値Ｋ１と−Ｋ１を定める。このＫ１は、Δｆを±０．３Ｈｚと定めているので、−Ｋ１は−０．３（Ｋｇ＋Ｋｌ）であり、Ｋ１は０．３（Ｋｇ＋Ｋｌ）である。ここで、Ｋ１は調整負荷３２を切り替えるしきい値である。
−Ｋ２＜−Ｋ１≦ΔＰａ≦Ｋ１＜Ｋ２  ・・・・・・・・（２）
ここで、ΔＰａが、０から−Ｋ１の範囲にいる場合は、周波数の差分Δｆが増加するため、発電機１１の出力が小さくなる方向に働くので、周波数の差分が小さいときは調整負荷３２の消費電力も絞る。次に、Ｋ１からＫ２の間における周波数変動が起きたときは、調整負荷切替え指令装置３３の制御信号に伴い、開閉器切替え装置３３２は、調整負荷３２に接続している開閉器３１を、周波数の振れ幅が大きい系統２に切り替えることで、周波数を上げて周波数の維持を図る。
【００１９】
一方、調整負荷量ΔＰａが０からＫ１の範囲にいる場合は、周波数の差分Δｆが減少し、発電機１１の出力が増加する方向に働くので、周波数変動が小さいときは、調整負荷３２の負荷を増加させる。次に、Ｋ１からＫ２の間における周波数の変動が起きたときは、調整負荷切替え指令装置３３の制御信号に伴い、開閉器３１が調整負荷３２を周波数の振れ幅が小さい系統１に接続する。ただし、周波数の振れ幅が小さい系統１は、高品質負荷１２を備えているため、調整負荷切替え指令装置３３は、周波数ｆ１を確認しながら、調整負荷３２の複数の抵抗負荷Ｒ１，Ｒ２，…，Ｒｎを少しずつ投入していく。
【００２０】
すなわち、しきい値Ｋ１を超えた場合には、周波数の振れ幅が小さい系統１の高品質負荷１２を保護するために、調整負荷３２の調整量を調整する。周波数の振れ幅が大きい系統２に調整負荷３２が接続されると、系統の周波数が低下し負荷変動が伴うが、標準品質負荷２３は±５Ｈｚ程度の変動を許容できるものと想定している。
【００２１】
次に、周波数の振れ幅が小さい系統１の負荷が増加したときの原理について説明する。
図４に周波数の振れ幅が小さい系統１の負荷電力Ｌ１、及び発電電力Ｐ１と周波数ｆの関係を示す。なお、発電電力Ｐ１が増加したときの状態変化の方向を実線矢印で示し、発電電力が減少したときの状態変化の方向を破線矢印で示す。
負荷電力Ｌ１が増加する前の状態をＬＡとし、負荷電力Ｌ１が増加した後の状態をＬＡ’とすると、実線矢印のように負荷電力Ｌ１がΔＬａだけ増加することで周波数ｆがΔｆだけ減少する。ただし、周波数特性は考慮していない。このＬＡ‘の状態は、負荷電力Ｌ１が増加すると周波数ｆも低下してしまい、ある一定の周波数が変化すると発電機１１が脱落する可能性がある。そこで、図１の調整負荷切替え指令手段３３が調整負荷３２の消費電力を絞り、図の破線矢印に示すようにＬＡ’の状態から元のＬＡの状態に調整することで、周波数ｆをΔｆ分だけ増加させるように制御を行い周波数ｆの維持を行うことができる。
【００２２】
同様に、図５は、調整負荷３２（図１）が接続されていない状態での、発電電力Ｐ２、負荷電力Ｌ２と周波数ｆの関係図である。図４と同様に、発電電力Ｐ２が増加したときの状態変化の方向を実線矢印で示し、発電電力Ｐ２が減少したときの状態変化の方向を破線矢印で示す。
【００２３】
このように、負荷電力Ｌ２が増加する前の状態をＬＢ、負荷電力Ｌ２が増加した後の状態をＬＢ’とすると、負荷電力Ｌ２がΔＬｂだけ増加することで周波数がΔｆ‘だけ減少する。ただし、周波数特性は考慮していない。このＬＢ‘の状態は、負荷電力Ｌ２が増加すると周波数ｆも低下してしまい、ある一定の周波数ｆが変化すると負荷（高品質負荷１２）や発電機１１が脱落する可能性がある。周波数の振れ幅が大きい系統２では、周波数の振れ幅が小さい系統１よりも周波数変動を許容する標準品質負荷２３を接続している。標準品質負荷２３は、例えば、Δｆが±５Ｈｚまでは許容できるため、動作する可能性が高い。
【００２４】
もし、Δｆが±５Ｈｚ以上の場合は、標準品質負荷２３や新エネルギー電源２２を停止することで周波数の振れ幅が大きい系統２を保護する。このように、標準品質負荷２３は停止させてでも、高品質負荷１２は絶対に停止させないように制御する。なお、周波数の振れ幅が大きい系統２に調整負荷３２が接続されている場合には、調整負荷切替え指令装置３３に従い周波数の維持を図ることもできる。
【００２５】
以上説明したように本実施形態によれば、周波数の振れ幅が小さい系統１に接続している負荷に、安定した高品質な電力を供給することが可能となる。さらに、調整負荷３２を用いて負荷の変動を抑制することができるため、新エネルギー電源２２等の分散型電源をより多く設置することが可能となる。また、調整負荷３２を用いて負荷の変動や周波数変動を抑制することができ、発電機の容量を低減することができ、発電機の調整を行わないためコストを低減することが可能である。
【００２６】
（第２実施形態）
第１実施形態は、調整負荷３２によって交流電力を消費させたが、ＢＴＢ（Back-To-Back）を用いて周波数の振れ幅が小さい系統１と周波数の振れ幅が大きい系統２との間で電力を移動させても周波数変動を低減することができる。
図６に示すように、電力供給需給制御システム１１０は、周波数の振れ幅が小さい系統１と周波数の振れ幅が大きい系統２の間に潮流電力変換器であるＢＴＢ４１を設け、ＢＴＢ４１を通流する電力（潮流）を潮流制御装置４２で制御する。このＢＴＢ４１は、図示しないが、交流電力と直流電力とを双方向に変換する第１のコンバータと、直流電力を蓄電する蓄電器と、直流電力と交流電力とを双方向に変換する第２のコンバータとを備え、直流電力を介して電力変換するので、周波数の振れ幅が異なる両系統１，２を非同期で連系することができる。
【００２７】
他の構成要素は、第１実施形態と同様であり、周波数の振れ幅が小さい系統１には発電機１１及び高品質負荷１２が接続されており、周波数の振れ幅が大きい系統２には標準品質負荷２３及びインバータ２１を介して新エネルギー電源２２が接続されている。
【００２８】
次に、図７を用いて、潮流制御装置４２の制御方法について説明する。
潮流制御装置４２は、潮流通過量演算装置４２１とＢＴＢ指令装置４２２と減算器４２３とを備えている。減算器４２３は、計測された周波数の振れ幅が小さい系統１の周波数ｆ１からある一定の基本周波数ｆ０を減算して、差分周波数Δｆを出力する。ある一定周波数ｆ０は、系統が５０Ｈｚの系統ならば５０Ｈｚであり、系統が６０Ｈｚなら６０Ｈｚの周波数である。また、周波数ｆ１と周波数ｆ０の差分周波数Δｆが±０．３Ｈｚと定めた場合、４９．７Ｈｚもしくは５０．３Ｈｚとする。
【００２９】
次に、潮流通過量演算装置４２１は、第１実施形態と同様に、差分周波数Δｆから（１）式によりＢＴＢ４１を通過する潮流制御量ΔＰａを演算する。演算した潮流制御量ΔＰａの分だけＢＴＢ４１を通すようにＢＴＢ指令装置４２２に信号を与え、ＢＴＢ４１で求めた制御量だけ流すように制御を行う。
以上のように、周波数の振れ幅が小さい系統１の周波数ｆ１を常にモニタリングし、ＢＴＢ４１に流れる電力（潮流）を制御することで、周波数の振れ幅が小さい系統１の周波数の安定化を図ることができる。
【００３０】
（第３実施形態）
第２実施形態ではＢＴＢを用いて交流電力を移動させたが、電力貯蔵装置を用いて電力を移動させることができる。
図８に示す電力系統需給制御システムは、電力貯蔵装置５１が周波数の振れ幅が小さい系統１に接続され、電力貯蔵装置５１が需給調整制御装置５２によって制御され、周波数の振れ幅が小さい系統１と周波数の振れ幅が大きい系統２とが独立している点で第２実施形態と異なる。
【００３１】
他の構成要素は、第２実施形態と同様であり、周波数の振れ幅が小さい系統１には発電機１１及び高品質負荷１２が接続されており、周波数の振れ幅が大きい系統２には標準品質負荷２３及びインバータ２１を介して新エネルギー電源２２が接続されている。
【００３２】
次に、図９を用いて、需給調整制御装置５２の制御方法について説明する。
需給調整制御装置５２は、需給調整量演算装置５２１と電力貯蔵装置指令装置５２２と減算器５２３とを備えている。減算器５３６は、計測された周波数の振れ幅が小さい系統１の周波数ｆ１と一定周波数ｆ０とを減算する。この一定周波数ｆ０は、系統が５０Ｈｚならば５０Ｈｚであり、系統が６０Ｈｚなら６０Ｈｚである。また、周波数ｆ１と周波数ｆ０の差分周波数Δｆが±０．３Ｈｚと定めた場合、４９．７Ｈｚもしくは５０．３Ｈｚとする。
【００３３】
次に、需給調整量演算装置５２１は、求めた差分周波数Δｆから（１）式で示されるにより潮流制御量ΔＰｃを演算する。電力貯蔵装置指令装置５２２は、求めた潮流制御量ΔＰｃの分だけから電力貯蔵装置５１（図８）へ制御信号を与える。そして、電力貯蔵装置５１は、需給バランスを調整することで周波数の振れ幅が小さい系統１の周波数を維持する。
以上のように、周波数の振れ幅が小さい系統１の周波数ｆ１を常にモニタリングし、電力貯蔵装置により指令された電力量を調整し、周波数の振れ幅が小さい系統１の周波数の安定化を図ることができる。
【００３４】
（変形例）
本発明は前記した実施形態に限定されるものではなく、例えば以下のような種々の変形が可能である。
（１）第１実施形態では、周波数の振れ幅が小さい系統１と周波数の振れ幅が大きい系統２との何れかに調整負荷３２を接続することにより、調整負荷３２を常時通電させて、電熱器、ランプ等を調整負荷３２として使用していた。しかしながら、調整負荷３２は、常時通電させる必要がなければ、必ずしも周波数の振れ幅が大きい系統２に接続する必要はない。この場合は、開閉器３１は、周波数の振れ幅が小さい系統１と調整負荷３２とを開閉するのみであり、周波数の振れ幅が小さい系統１と周波数の振れ幅が大きい系統２とは、互いに独立する。
（２）前記各実施形態は、周波数の振れ幅が大きい系統２と新エネルギー電源（分散型電源）２２との間にインバータ２１を接続したが、新エネルギー電源２２が交流電力を発生することができれば、インバータ２１は不用である。
（３）前記各実施形態は、発電機１１に誘導機を使用したが、エンジンと連結された同期機のように、エンジン負荷により回転速度が変わり、結果として発電周波数が変わるものであってもよい。
【図面の簡単な説明】
【００３５】
【図１】本発明の第１実施形態である電力系統需給制御システムの系統図である。
【図２】調整負荷切替え指令装置のブロック図である。
【図３】周波数の振れ幅が小さい系統の周波数及び基準周波数と時間の関係図である。
【図４】周波数の振れ幅が小さい系統の発電電力、及び発電電力と周波数との関係を示す特性図である。
【図５】周波数の振れ幅が大きい系統の発電電力、及び負荷電力と周波数の関係を示す特性図である。
【図６】本発明の第２実施形態の電力系統需給制御システムの系統図である。
【図７】潮流制御装置のブロック図である。
【図８】本発明の第３実施形態の電力系統需給制御システムの系統図である。
【図９】需給調整制御装置の制御方法を示すブロック図である。
【符号の説明】
【００３６】
１      周波数の振れ幅（周波数変動幅）が小さい系統
２      周波数の振れ幅（周波数変動幅）が大きい系統
１１    発電機（回転機）
１２    高品質負荷
２２    新エネルギー電源（分散型電源）
２１    インバータ
２３    標準品質負荷
３１    開閉器
３２    調整負荷
３３    調整負荷切替え指令装置
１００，１１０，１２０  電力系統需給供給システム
３３１  調整負荷量演算装置
３３２  開閉器切替え指令装置（指令装置）
４１    ＢＴＢ（潮流電力変換器）
４２    潮流制御装置
４２１  潮流通過量演算装置
４２２  ＢＴＢ指令装置
５１    電力貯蔵装置
５２    需給調整制御装置
５２１  需給調整量演算装置
５２２  電力貯蔵装置指令装置
【図１】
0004892417.tif 000002
【図２】
0004892417.tif 000003
【図３】
0004892417.tif 000004
【図４】
0004892417.tif 000005
【図５】
0004892417.tif 000006
【図６】
0004892417.tif 000007
【図７】
0004892417.tif 000008
【図８】
0004892417.tif 000009
【図９】
0004892417.tif 000010